(57)【特許請求の範囲】
【請求項１】
電子機器筐体の底面を形成する底面部材および該底面部材の周端に電子機器筐体の側面として形成された側面部材により構成されたハウジングと、前記側面部材の前記底面部材と反対側の上端面より切り欠かれてなる、電気ケーブルを通すためのケーブル通し口と、前記ケーブル通し口に挿抜可能な蓋部材と、を備えた電子機器筐体において、該蓋部材の前記ケーブル通し口での取付け位置が、該蓋部材により他の前記電子機器筐体を連結可能とする第１位置と該蓋部材により前記ケーブル通し口を閉塞する第２位置とに変えられる電子機器筐体において、
前記蓋部材は、対向する二つの面の各々に同じ方向に延びる溝が形成された部材であり、
前記蓋部材が前記第１位置で使用されるときに、前記二つの面のうちの一方に形成された溝が、前記ケーブル通し口に前記電気ケーブルを通すための空間を有する状態で前記ケーブル通し口に隣接する前記側面部材と嵌合されるように形成され、かつ前記二つの面のうちの他方に形成された溝が前記他の電子機器筐体の側面部材と嵌合されるように形成されていることを特徴とする電子機器筐体。
【請求項２】
前記二つの面のうちの一方に形成された溝は、該溝の内側の一側面が、前記ケーブル通し口の、前記空間とは反対側に位置する切り欠き面に当接し、該溝の該一側面以外の内面が、該切り欠き面を有する前記側面部材の、前記電子機器筐体の外側面に当接して嵌合されるように形成されていることを特徴とする請求項１に記載の電子機器筐体。
【請求項３】
前記側面部材の前記切り欠き面に、前記側面部材の前記上端面から前記底面部材の方向へ延びるように形成された第１の係合部と、
前記蓋部材の前記溝の内側の前記一側面に、前記第１の係合部と係合する第２の係合部と、を備えていることを特徴とする請求項２に記載の電子機器筐体。
【請求項４】
前記第１の係合部および前記第２の係合部は、溝部と突出部であることを特徴とする請求項３に記載の電子機器筐体。
【請求項５】
前記蓋部材が前記第２位置で使用されるときに、前記二つの面に形成された溝の一方または両方と係合する係着部を前記ハウジングの内側に備えていることを特徴とする請求項１乃至４のいずれか１項に記載の電子機器筐体。
【発明の詳細な説明】
【技術分野】
【０００１】
本発明は、電子機器の筐体に関する。特に、複数の電子機器を連結して使用することができる電子機器筐体に関する。
【背景技術】
【０００２】
セキュリティシステムや行き先表示盤等の情報送出用の電子機器では、一つの電子機器が単独で使用される場合だけでなく、複数の電子機器が連結されて使用される場合がある。一つの電子機器の単独使用では情報送出能力が不足する場合であっても、複数の電子機器を電気的に接続して使用することによって電子機器全体の情報送出能力を高めることができる。
【０００３】
複数の電子機器を連結して使用することがある電子機器筐体では、電気ケーブルを通すためのケーブル通し口が設けられているものがある。さらに、このような電子機器筐体には、ケーブル通し口を閉塞することができ、かつケーブル通し口に脱着可能に形成された蓋部材を有するものがある。
【０００４】
電子機器を単体で使用する場合には、蓋部材でケーブル通し口を塞ぐことによって、電子機器の外観品位の低下を抑制することができる。複数の電子機器を連結して使用する場合には、蓋部材をケーブル通し口から外してケーブル通し口に電気ケーブルを通すことによって、容易に複数の電子機器を電気的に接続することができる。また、この場合、電気ケーブルを整理し易いため、連結した状態における電子機器の外観を向上させることができる。
【０００５】
しかしながら、従来では、複数の電子機器を連結するための連結部材と、蓋部材とがそれぞれ別途必要とされていた。そのため、電子機器を構成する部品数が増えてコストが増加していた。また、使用していない部品、すなわち、電子機器を単体で使用している場合における連結部材や、複数の電子機器を連結して使用している場合における蓋部材を紛失してしまうことがあった。そこで、蓋部材を連結部材として兼用できる連結装置の構造が提案されている（例えば特許文献１）。蓋部材を連結部材として兼用することによって、電子機器を構成する部品数が減りコストの増加を抑制できるとともに、部品の紛失を防止することができる。
【先行技術文献】
【特許文献】
【０００６】
【特許文献１】特開２００２−３６０３６３号公報
【発明の概要】
【発明が解決しようとする課題】
【０００７】
特許文献１では、家具の脚部の先端を覆うための蓋部材を連結部材として兼用する構造が開示されている。しかし、ケーブル通し口を有する電子機器筐体において、ケーブル通し口を閉塞する蓋部材を連結部材として兼用する電子機器筐体の構造は開示されていない。そこで、ケーブル通し口を塞ぐ蓋部材を連結部材として兼用することができる電子機器筐体の構造を検討した。
【０００８】
図４は、特許文献１で開示されている構造を、ケーブル通し口および蓋部材を備える電子機器筐体に適用した場合におけるケーブル通し口付近の上面拡大図である。なお、図４は、電子機器の上面カバー（不図示）を外した状態の図であり、電子機器を使用するときには上面カバーが電子機器の上面側に装着される。
【０００９】
図４（ａ）は、ケーブル通し口に蓋部材が取り付けられていない状態におけるケーブル通し口の付近の拡大図である。図４（ａ）に示すように、電子機器筐体１は、ハウジング２を含んでいる。ハウジング２は、電子機器筐体１の底面を形成する底面部材３および底面部材３の周端に電子機器筐体１の側面として形成された側面部材４を備えている。側面部材４には、電気ケーブルを通すためのケーブル通し口５が設けられている。ケーブル通し口５は、側面部材４の底面部材３と反対側の上端面より切り欠かれることによって形成されている。
【００１０】
ケーブル通し口５には、底面部材３から電子機器筐体１の上面側（紙面に垂直な方向）へ向かって突出するように一対の係合ピン６が設けられている。一対の係合ピン６は、底面部材３の側の基部がケーブル通し口５と平行になるように配設されている。
【００１１】
図４（ｂ）は、ケーブル通し口５を閉塞するように蓋部材が装着されたときの電子機器筐体１におけるケーブル通し口５の付近の拡大図である。図４（ｃ）は、二つの電子機器筐体１ａ、１ｂを連結するように蓋部材が装着されたときの電子機器筐体１ａ、１ｂにおけるケーブル通し口５の付近の拡大図である。
【００１２】
図４（ｂ）に示すように、ケーブル通し口５を閉塞する蓋部材７は、一対の係合ピン６を覆うように、電子機器の上面側から底面部材３へ向かって装着される。蓋部材７には、一対の係合ピン６のそれぞれを内嵌するように孔状係合部８が設けられている。一対の係合ピン６の両方を嵌合するように蓋部材７をハウジング２に装着することによって、ケーブル通し口５が塞がれる。
【００１３】
図４（ｃ）に示すように、蓋部材７を用いて二つの電子機器筐体１ａ、１ｂを連結するときには、孔状係合部８の一方を、一方の電子機器筐体１ａに設けられた係合ピン６の一つに嵌合させる。そして、孔状係合部８の他方を、他方の電子機器筐体１ｂに設けられた係合ピン６の一つに嵌合させる。
【００１４】
しかしながら、特許文献１で開示されている構造を適用した電子機器筐体１では、ケーブル通し口５に係合ピン６が設けられている。そのため、ケーブル通し口５の開口領域が狭められ、電気ケーブルをケーブル通し口５に通すことが困難となる場合がある。
【００１５】
そこで、本発明は、ケーブル通し口を閉塞する蓋部材を用いて複数の電子機器筐体を連結することができ、かつこの連結時にケーブル通し口の開口領域が狭くならない電子機器筐体を提供することを目的とする。
【課題を解決するための手段】
【００１６】
上記目的を達成するために、本発明の一の態様は、電子機器筐体の底面を形成する底面部材および該底面部材の周端に電子機器筐体の側面として形成された側面部材により構成されたハウジングと、側面部材の底面部材と反対側の上端面より切り欠かれてなる、電気ケーブルを通すためのケーブル通し口と、ケーブル通し口に挿抜可能な蓋部材と、を備えた電子機器筐体において、該蓋部材のケーブル通し口での取付け位置が、該蓋部材により他の電子機器筐体を連結可能とする第１位置と該蓋部材によりケーブル通し口を閉塞する第２位置とに変えられる電子機器筐体に係る。この態様において、本発明は、記蓋部材は、対向する二つの面の各々に同じ方向に延びる溝が形成された部材であり、蓋部材が第１位置で使用されるときに、二つの面のうちの一方に形成された溝が、ケーブル通し口に電気ケーブルを通すための空間を有する状態でケーブル通し口に隣接する側面部材と嵌合されるように形成され、かつ二つの面のうちの他方に形成された溝が他の電子機器筐体の側面部材と嵌合されるように形成されていることを特徴とする。
【発明の効果】
【００１７】
本発明の電子機器筐体によれば、ケーブル通し口を閉塞する蓋部材を用いて複数の電子機器筐体を連結することができ、かつこの連結時にケーブル通し口の開口領域が狭くならない。
【図面の簡単な説明】
【００１８】
【図１】本発明の実施形態の電子機器筐体を適用した電子機器を概ね上面に対して斜め上側から見た斜視図であり、複数連結して使用する場合における当該電子機器の一つの斜視図である。
【図２】図１に示す電子機器筐体を二つ連結して使用する場合における当該二つの電子機器の斜視図である。
【図３】図１に示す電子機器を概ね正面に対して斜め上側から見た斜視図であり、単独で使用する場合における当該電子機器の斜視図である。
【図４】特許文献１で開示されている連結装置の構造を、ケーブル通し口および蓋部材を備える電子機器筐体に適用した場合におけるケーブル通し口付近の上面拡大図である。
【発明を実施するための形態】
【００１９】
以下、本発明の実施形態における電子機器筐体について、図面に基づいて詳細に説明する。
【００２０】
図１は、本発明の実施形態の電子機器筐体を適用した電子機器を概ね上面に対して斜め上側から見た斜視図であり、複数連結して使用する場合における当該電子機器の一つの斜視図である。なお、図１は、電子機器の上面カバー（不図示）が外されている状態の図であり、電子機器を使用するときには当該上面カバーが電子機器の上面側に装着される。
【００２１】
図１（ａ）は、電子機器筐体のハウジングから蓋部材を分離したときの分解斜視図である。図１（ａ）に示すように、電子機器筐体１は、ハウジング２を含んでいる。ハウジング２は、電子機器筐体１の底面を形成する底面部材３および底面部材３の周端に電子機器筐体１の側面として形成された側面部材４を備えている。
【００２２】
底面部材３の内側面には回路基板９が固定されており、電子機器の底面側から電子機器筐体１の内部に電気ケーブルを引き入れるための通線口１０が底面部材３に設けられている。電子機器が建造物の壁面に掛けられて使用される場合には、該壁面に設けられた電源や通信端子から通線口１０を介して電気ケーブルが引き入れられ、電子機器の外部から回路基板９へ電力や電気信号が送られる。
【００２３】
側面部材４には、電気ケーブルを通すためのケーブル通し口５が設けられている。ケーブル通し口５は、側面部材４の底面部材３と反対側の上端面より切り欠かれるように形成されている。
【００２４】
また、電子機器筐体１は、ケーブル通し口５に挿抜可能であって、ケーブル通し口５を閉塞する蓋部材１１を含んでいる。蓋部材１１の、ケーブル通し口５での取付け位置は、蓋部材１１により他の電子機器筐体を連結可能とする第１位置と、蓋部材１１によりケーブル通し口５を閉塞する第２位置と、に変えられるようになっている。
【００２５】
図１（ｂ）は、蓋部材１１が第１位置に取付けられた状態の電子機器筐体１の外観斜視図である。図１（ｂ）に示すように、蓋部材１１が第１位置で使用されたとき、ケーブル通し口５に電気ケーブルを通すための空間を有している。
【００２６】
図１（ｃ）は、図１（ｂ）に示すＡ部の拡大図である。図１（ｃ）に示すように、蓋部材１１は、対向する二つの面の各々に同じ方向に延びる溝１２ａ、１２ｂが形成された部材である。
【００２７】
蓋部材１１の溝１２ａ、１２ｂのうちの一方の溝１２ａは、蓋部材１１が第１位置で使用されるときに、ケーブル通し口５に電気ケーブルを通すための空間を有する状態で、ケーブル通し口５に隣接する側面部材４と嵌合されるように形成されている。したがって、ケーブル通し口５に係合ピンを設けることなく、蓋部材１１を第１位置に取り付けることができる。
【００２８】
本実施形態における、溝１２ａの側面部材４への嵌合について説明する。蓋部材１１が第１位置に取り付けられるとき、一方の溝１２ａの内側の一側面１３が、ケーブル通し口５の、電気ケーブルを通すための空間とは反対側に位置する切り欠き面１４に当接する。また、一方の溝１２ａの一側面１３以外の内面１５が、切り欠き面１４を有する側面部材４の、電子機器筐体１の外側面１６に当接して嵌合される。このように蓋部材１１が側面部材４と嵌合することによって、蓋部材１１の一部が電子機器筐体１の外周面とすることができる。
【００２９】
図２は、図１に示す電子機器筐体を二つ連結して使用する場合における当該二つの電子機器の斜視図である。図１と同様に、図２は、電子機器を概ね上面に対して斜め上側から見た図であり、電子機器の上面カバーが外されている状態の図である。
【００３０】
図２（ａ）は、二つの電子機器筐体のうちの一方の電子機器筐体１ａのハウジング２と、他方の電子機器筐体１ｂのハウジング２と、を並べたときの斜視図である。図２（ａ）に示すように、他方の電子機器筐体１ｂにもケーブル通し口５が形成されており、電子機器筐体１ａ、１ｂに形成されたケーブル通し口５が向かい合うように各々のハウジング２が配置されている。このとき、各々の電子機器筐体１ａおよび１ｂの間には、不図示の上面カバーの着脱を容易にするためや、各電子機器の放熱の効果を高めるために隙間１７が設けられる。
【００３１】
図２（ｂ）は、蓋部材１１が第１位置で取り付けられて二つの電子機器筐体１ａ、１ｂが連結されたときの斜視図である。図２（ｂ）に示すように、蓋部材１１の他方の溝１２ｂは、蓋部材１１が第１位置で取付けられたときに他の電子機器筐体１ｂの側面部材４と係合するように形成されている。蓋部材１１の他方の溝１２ｂが他の電子機器筐体１ｂの側面部材４と係合することによって、二つの電子機器筐体１ａ、１ｂが連結される。
【００３２】
また、溝１２ａおよび１２ｂが、二つの電子機器筐体１ａ、１ｂの側面部材４と係合することによって、二つの電子機器筐体１ａ、１ｂを連結するときに形成される隙間１７は、電子機器の側面から見えなくなる。電子機器の上面から見える隙間１７を覆うように上面カバーを電子機器に装着することによって、上面側および側面側から隙間１７が隠れる。建造物の壁に掛けて使用する電子機器の場合には、電子機器の底面側から隙間１７が見えないため、別途部品を必要とすることなく、複数の電子機器を連結したときの一体感を高めることができる。
【００３３】
なお、図２に示す場合では二つの電子機器筐体１ａ、１ｂが連結されているが、この個数以上の電子機器筐体を連結することも可能である。例えば、他の電子機器筐体１ｂの側面部材４の、ケーブル通し口５が形成されている位置とは異なる位置に別途ケーブル通し口５を設け、新たな電子機器筐体を連結すればよい。
【００３４】
さらに、本実施形態では、蓋部材１１が第１位置で使用された場合に、蓋部材１１がより強固にハウジング２に固定されるように、第１および第２の係合部１８、１９がハウジング２および蓋部材１１に形成されている。第１および第２の係合部１８、１９について、図１（ｃ）を用いて詳述する。
【００３５】
第１の係合部１８は、側面部材４の切り欠き面１４に、側面部材４の上端面から底面部材３の方向へ延びるように形成されている。また、第２の係合部１９は、蓋部材１１の溝１２ａの内側の一側面１３に、第１の係合部１８と係合するように形成されている。
【００３６】
本実施形態では、第１の係合部１８が溝部であり、第２の係合部１９が突出部であるが、もちろん第１の係合部１８を突出部とし、第２の係合部１９を溝部としても良い。
【００３７】
第１および第２の係合部１８、１９が係合することによって、蓋部材１１がより強固にハウジング２に固定される。第１および第２の係合部１８、１９の係合は、溝１２ａの深さ方向に蓋部材１１が脱落することを防止することができる。
【００３８】
なお、本実施形態では、連結される他の電子機器筐体１ｂ（図２）の側面部材４にも第１の係合部１８が形成されており、蓋部材１１の他方の溝１２ｂにも第２の係合部１９が形成されている。
【００３９】
次に、蓋部材１１が第２位置で使用される場合、すなわち蓋部材１１がケーブル通し口５を閉塞するように使用される場合について説明する。図３は、本発明の実施形態の電子機器筐体１を適用した電子機器を概ね正面に対して斜め上側から見た斜視図であり、単独で使用する場合における当該電子機器の斜視図である。
【００４０】
図３（ａ）は、第２位置で取付けられた蓋部材１１をハウジング２から分離したときの分解斜視図であり、図３（ｂ）は、蓋部材１１が第２位置でハウジング２に取付けられているときの外観斜視図である。図３（ｃ）は、図１（ｂ）に示すＢ部の拡大図である。
【００４１】
図３（ａ）に示すように、蓋部材１１は、ケーブル通し口５の開口領域の形状と略等しい形状で形成された面（以下、閉塞面２０と称す）を有している。したがって、蓋部材１１が第２位置でハウジング２に取付けられることによって、ケーブル通し口５が塞がれる。
【００４２】
図３（ｂ）および（ｃ）に示すように、蓋部材１１がケーブル通し口５を閉塞するようにハウジング２に装着されることによって、電子機器筐体１の側面の開口領域が埋められるため、電子機器の側面の外観が向上する。
【００４３】
また、蓋部材１１が第２位置で使用された場合に、溝１２ｂと係合する係着部２１をハウジング２の内側に設けることによって、蓋部材１１の脱落を防ぐことができる。溝１２ｂと係合する係着部２１に限られず、溝１２ａ、１２ｂの両方に係合するものでも良い。蓋部材１１が第２位置で使用された場合に蓋部材１１をハウジング２に固定する手段はこれらに限られず、他の公知の手段を使用することも可能である。
【００４４】
本発明の実施形態では、蓋部材１１を第１位置および第２位置で固定するための係合ピンをケーブル通し口５に設ける必要がないため、二つの電子機器筐体１ａ、１ｂが連結されたときに、ケーブル通し口５の開口領域が狭くならない。その結果、電気ケーブルをケーブル通し口５に容易に通すことができ、複数の電子機器を容易に電気的に接続することができる。また、蓋部材１１を用いて二つの電子機器筐体１ａ、１ｂを連結することができるため、電子機器筐体を連結するための連結部材を別途必要としない。
【符号の説明】
【００４５】
１      電子機器筐体
２      ハウジング
３      底面部材
４      側面部材
５      ケーブル通し口
１１    蓋部材
１２ａ、１２ｂ  溝
１３    一側面
１４    切り欠き面
１５    内面
１６    外側面
【図１】
0005126319.tif 000002
【図２】
0005126319.tif 000003
【図３】
0005126319.tif 000004
【図４】
0005126319.tif 000005